(57)【要約】      （修正有）【課題】パッケージ型空調機を多機能化し、無線通信を用い活用する方法提供する。【解決手段】パッケージ式空調機の屋外ユニット２、および、屋内ユニット１に無線通信送受信装置５を加え、無線通信ユニット６を搭載した屋内および屋外の他の装置間でコンピュータネットワークを構成し空調、照明、防犯機能の一元化と、居住者の健康管理、電気自動車や発電設備、蓄電設備のネットワーク接続を低コストで提供する。【選択図】図１
2012107849.tif 000002
【特許請求の範囲】
【請求項１】
パッケージ型空調機の屋内ユニットに無線通信送受信装置を設け、他の無線通信ユニットを搭載した装置との間で構成されるコンピューターネットワーク。
【請求項２】
パッケージ型空調機の屋内ユニット、屋外ユニット間を通信で接続し屋内ユニットと屋外ユニットの双方に無線通信送受信装置を設け、無線通信ユニットを搭載した屋内および屋外の他の装置との間で構成されるコンピューターネットワーク。
【請求項３】
無線通信を用い、パッケージ型空調機の無線通信送受信装置から送られるパッケージ型空調機の運転中信号を室内設置の加湿器の無線通信ユニットで受信し連動運転をおこない、パッケージ型空調機の無線通信送受信装置から冷暖房モード、加湿除湿モード、温度、湿度の情報を一斉に複数の加湿器の無線通信ユニットへ伝送し、パッケージ型空調機と連携し一定の条件下においてのみ、加湿運転を行う制御方法。
【請求項４】
無線通信を用いて加湿器の運転状況、故障警報、加湿水の補給要求を加湿器の無線通信ユニットからパッケージ型空調機の無線通信送受信装置へ信号を送り、パッケージ型空調機を介して操作スイッチ、あるいはインターネットや電話回線を通じ設備監視装置や携帯電話に表示する方法。
【請求項５】
パッケージ型空調機の屋内ユニットに設けられた人感センサーを利用し、侵入者を検知し操作スイッチ、防犯監視装置の警備状態が警戒中の場合は操作スイッチ、防犯監視装置あるいは電話回線やインターネットを介して外部の防犯監視装置、携帯電話に侵入警報の通知を行う方法
【請求項６】
照明の点灯回路をパッケージ型空調機の屋内ユニットあるいは屋外ユニットに設け、空調と照明の機能を統合し、パッケージ型空調機の操作スイッチ、あるいはインターネットや電話回線を通じて設備監視装置や携帯電話で空調と照明の管理を一元的に行い、請求項５の防犯監視の警戒中／非警戒の変化に連動し、非警戒から警戒中への変化に連動して空調の停止、照明の消灯、あるいは侵入警報に連動して照明の点灯を行う方法。
【請求項７】
無線通信ユニットを搭載した自動車がパッケージ型空調機の屋外ユニットあるいは屋内ユニットの無線通信送受信装置を介し接続し自動車のカーナビゲーション装置を外部から利用する方法
【請求項８】
無線通信ユニットを搭載した自動車や発電機や蓄電池がパッケージ型空調機の屋外ユニットあるいは屋内ユニットの無線通信送受信装置を介し接続することで通信を行い、電気自動車の充放電や発電機の発電量、蓄電池の蓄電量をパソコンあるいは電話回線、インターネットを介して外部から管理する方法
【請求項９】
高齢者など生活に不安のある居住者に対し、パッケージ型空調機の運転状態、照明の点灯状態を監視し、一定期間状態に変化が無い時は異常と判断し屋内ユニットから有線通信あるいは、無線通信送受信装置から無線通信ユニットを介して電話回線あるいはインターネットへ接続し外部へ異常を知らせる方法。
【請求項１０】
防犯監視の在室／不在情報が在室状態でパッケージ型空調機の室内温度の計測値が設定された範囲から逸脱した場合は異常と判断し屋内ユニットから有線通信あるいは、無線通信送受信装置から無線通信ユニットを介して電話回線あるいはインターネットへ接続し外部へ異常を知らせる方法。
【請求項１１】
高齢者の徘徊監視において、高齢者が装着した発信器の信号を住居の周辺に配置した徘徊検知器で検知し、無線通信ユニットからの信号をパッケージ型空調機の屋外ユニットの無線通信送受信装置で受信し、住居内のパソコンに警報と徘徊検知場所を表示する、あるいは電話回線やインターネットで外部へ接続し異常を知らせる方法。
【発明の詳細な説明】
【技術分野】
【０００１】本発明はパッケージ型空調機の多機能化および、無線通信を用て活用する方法に関するものである。
【背景技術】
【０００２】パッケージ型空調機の基本構成は屋内に屋内ユニットが設置され屋外には屋外ユニットが設置される形式であるが屋内から屋外へ熱の放出、吸収という目的で設置されている。【０００３】環境対策としてスマートグリッドとよばれる電力監視網の構築が進められており電気自動車や発電設備を通信で結び付けるインフラ設備が必要となっている。【０００４】パッケージ型空調機には効率的な運転を行う目的で人感センサーを設置しているものがある
【先行技術文献】
【発明の概要】
【発明が解決しようとする課題】
【０００５】パッケージ型空調機を中心とし空調、照明、防犯の機能を統合してより快適に使用できるようにする点である。【０００６】パッケージ型空調機を利用して自動車のカーナビゲーション装置などをパソコンやインターネットで利用できるようにする点である。【０００７】自動車や発電機、蓄電池などの設備機器の情報をパソコンやインターネットで管理できるようにする点である。【０００８】高齢などで外部から生活状況の管理を必要とする居住者の情報をパソコンやインターネットで管理できるようにする点である。
【課題を解決するための手段】
【０００９】パッケージ型空調機の基本構成は屋内に屋内ユニットが設置され、屋外に屋外ユニットが設置される形式であるが屋内ユニットと屋外ユニットに無線通信送受信装置を設置し、屋内ユニットと屋外ユニット間を通信で接続することで、室内外の他の装置と通信で接続できるようにする。【００１０】無線通信を用い、パッケージ型空調機の無線通信送受信装置から送られるパッケージ型空調機の運転中信号を室内設置の加湿器の無線通信ユニットで受信し連動運転をおこない、パッケージ型空調機の無線通信送受信装置から冷暖房モード、加湿除湿モード、温度、湿度の情報を一斉に複数の加湿器の無線通信ユニットへ伝送し、パッケージ型空調機と連携し一定の条件下においてのみ、加湿運転を行うようにする。【００１１】無線通信を用いて加湿器の運転状況、故障警報、加湿水の補給要求を加湿器の無線通信ユニットからパッケージ型空調機の無線通信送受信装置へ信号を送り、パッケージ型空調機を介して操作スイッチ、あるいはインターネットや電話回線を通じ設備監視装置や携帯電話に表示する。【００１２】パッケージ型空調機の屋内ユニットの人感センサーを防犯監視用に利用し、操作スイッチ、防犯監視装置あるいは電話回線やインターネットを介して外部の防犯監視装置、携帯電話で防犯監視の在室（非警戒）／不在（警戒中）の切替操作や侵入警報の表示を行う。【００１３】照明の点灯回路をパッケージ型空調機の屋内ユニットに設け、空調と照明の機能を統合しパッケージ型空調機の操作スイッチ、あるいはインターネットや電話回線を通じ設備監視装置や携帯電話で空調と照明の管理を一元的に行い、防犯監視の警戒中／非警戒の状態変化に連動し非警戒から警戒中に変化した時、空調の停止、照明の消灯を連動して行う。【００１４】無線通信ユニットを搭載した自動車や屋外設備機器がパッケージ型空調機の屋外ユニットの無線通信送受信装置を介し接続されることで、自動車からパソコンあるいはインターネットなどで外部との情報の送受信が可能となり、自動車のカーナビゲーション装置を外部から利用することが出来る。また自動車の防犯監視や走行量や燃料使用量などのデータ管理や電気自動車の充放電の管理が行えるようになる。【００１５】高齢者など生活に不安のある居住者に対し、パッケージ型空調機の運転状態、照明の点灯状態を監視し、一定期間状態に変化が無い時は異常と判断し屋内ユニットから有線通信、あるいは無線通信送受信装置から無線通信ユニットを介して電話回線あるいはインターネットへ接続し外部へ異常を知らせる機能を設ける。【００１６】防犯監視の在室／不在情報が在室状態でパッケージ型空調機の室内温度の計測値が設定された範囲から逸脱した場合は異常と判断し屋内ユニットから有線通信、あるいは無線通信送受信装置から無線通信ユニットを介して電話回線あるいはインターネットへ接続し外部へ異常を知らせる機能を設ける。【００１７】高齢者の徘徊監視において、高齢者が装着した発信器の信号を住居の周辺に配置した徘徊検知器で検知し無線通信ユニットから信号を発信しパッケージ型空調機の屋外ユニットの無線通信送受信装置で受信し、住居内のパソコンに警報と徘徊検知場所を表示する、あるいは電話回線やインターネットで外部へ接続し異常を知らせる機能を設ける。
【発明の効果】
【００１８】パッケージ型空調機の屋内ユニットが室内の見通しのきく通信や防犯監視に適した場所に設置されている特性を活かして人感センサーを設置し防犯監視を行えるようにし、近接する照明器具の操作機能を統合することで空調、照明、防犯の機能の一元化ができ従来より低コストで多機能を実現出来る。また無線を利用し自動車や発電機、蓄電池を接続することでスマートグリッド社会へ対応することが出来る。
【図面の簡単な説明】
【００１９】
【図１】パッケージ型空調機と周辺機器の接続関係を表す断面図である。
【図２】パッケージ型空調機と周辺機器の接続関係を表す断面図である。
【図３】パッケージ型空調機と徘徊検知器の配置を説明する平面図である。
【発明を実施するための形態】
【００２０】パッケージ型空調機の屋内ユニットと屋外ユニットに無線通信送受信装置を設置し内ユニットと屋外ユニットを通信で接続し、照明器具の操作をパッケージ型空調機で行えるよう屋内ユニットあるいは屋外ユニットに点灯回路を設ける。
パッケージ型空調機の屋内ユニットの制御用人感センサーを防犯監視用に流用もしくは人感センサーを新たに設置し、防犯監視用にデジタルカメラを屋内ユニットに設置する。
屋外ユニット、屋内ユニットの無線通信送受信装置と自動車、徘徊検知器、加湿器、発電装置、充電装置等の屋内外の装置に無線通信ユニットを組込み室内のパソコンあるいはインターネットあるいは電話回線経由で外部と接続できるようにする。
【実施例１】
【００２１】図１はこれまでのパッケージ型空調機を構成する屋内ユニット１と屋外ユニット２の間を結ぶ冷媒管３と操作スイッチ１０を表し、パッケージ型空調機の屋内ユニットは天井カセット型で表現している。【００２２】屋内ユニット１と屋外ユニット２に無線通信送受信装置５を設置しその間、通信線４で接続し無線通信送受信装置５の電源は屋内ユニット１と屋外ユニット２より供給する。【００２３】屋内ユニット１の無線通信送受信装置５と加湿器７の無線通信ユニット６の間で通信を行いパッケージ型空調機の情報を加湿器７へ伝送し、パッケージ型空調機と連携し加湿運転を行い、パッケージ型空調機や加湿器７の運転状態や警報などの情報をパソコン１９や外部回線９から外部の監視装置へと伝達する。【００２４】パッケージ型空調機の屋内ユニット１の人感センサー８を使用し侵入者を検知し、操作スイッチ１０あるいは外部回線９を介し外部の防犯監視装置に表示する。【００２５】屋外ユニット２の無線通信送受信装置５を介して自動車に搭載された無線通信ユニット６の間で通信を行い情報を伝達する。
【実施例２】
【００２６】図２はこれまでのパッケージ型空調機を構成する屋内ユニット１と屋外ユニット２の間を結ぶ冷媒管３と操作スイッチ１０を表し、パッケージ型空調機の屋内ユニットは壁掛型で表現している。【００２７】照明器具１２は屋内ユニット１の点灯回路で点灯／消灯を行う。【００２８】パッケージ型空調機の屋内ユニット１の人感センサー８で侵入者を検知した場合は、無線通信送受信装置５から無線通信ユニット６へ無線で伝達、もしくは通信線４あるいは信号線１４を介し防犯監視装置１３に信号を伝達する。【００２９】屋外ユニット２の無線通信送受信装置５を介して発電機１６、蓄電池１７に搭載された無線通信ユニット６の間で通信を行い情報を伝達する。
【実施例３】
【００３０】図３で徘徊検知装置１５で徘徊者を検知した場合、無線通信ユニット６からの信号が屋外ユニット２の無線通信送受信装置５へと伝達されることを表す。
【産業上の利用可能性】
【００３１】無線ＬＡＮを用いたインターネット上で居室の空調、照明、家電機器、防犯設備の一元化管理や、将来予測されるスマートグリッドに代表される電力監視網で電気自動車の充放電管理や発電設備、蓄電設備の運用管理に用いることができる。
【符号の説明】
【００３２】１  パッケージ型空調機屋内ユニット
２  パッケージ型空調機屋外ユニット
３  冷媒配管
４  通信線
５  無線通信送受信装置
６  無線通信ユニット
７  加湿器
８  人感センサー
９  外部回線
１０  操作スイッチ
１１  電源線
１２  照明器具
１３  防犯監視装置
１４  信号線
１５  徘徊検知器
１６  発電機
１７  蓄電池
１８  パソコン
【図１】
2012107849.tif 000003
【図２】
2012107849.tif 000004
【図３】
2012107849.tif 000005